(57)【要約】【課題】  貫通孔５を有する絶縁基板２と、この絶縁基板の上面側に配設され金属板にて椀型に構成した調節用ロータ３と、前記絶縁基板の下面に密接した金属板による中端子電極板４と、この中端子電極板に前記貫通孔内に嵌まるように一体に設けた中空軸９とを備え、前記中空軸の上端に、前記調節用ロータにおける底板を、当該底板が絶縁基板の表面に密接するように回転自在に被嵌し、前記中空軸の上端を外向きにかしめ広げて成るチップ型可変式電子部品において、前記ロータ内へのドライバー工具の受け入れ深さＷを浅くせず、且つ、前記絶縁基板の強度を低下することなく、全高さ寸法Ｌを低くする。【解決手段】    前記調節用ロータ３のうち底板１７における板厚さを、当該ロータのうち他の部分における板厚さよりも薄くする。【選択図】                    図２
2005333021.tif 000002
【特許請求の範囲】
【請求項１】
貫通孔を有する絶縁基板と、この絶縁基板の上面側に配設され金属板にて椀型に構成した調節用ロータと、前記絶縁基板の下面に密接した金属板による中端子電極板と、この中端子電極板に前記貫通孔内に嵌まるように一体に設けた中空軸とを備え、前記中空軸の上端に、前記調節用ロータにおける底板を、当該底板が絶縁基板の表面に密接するように回転自在に被嵌し、前記中空軸の上端を外向きにかしめ広げて成るチップ型可変式電子部品において、
前記調節用ロータのうち底板における板厚さを、当該ロータのうち他の部分における板厚さよりも薄くすることを特徴とするチップ型可変式電子部品。
【請求項２】
貫通孔を有する絶縁基板と、この絶縁基板の上面側に配設され金属板にて椀型に構成した調節用ロータと、前記絶縁基板の下面に密接した金属板による中端子電極板と、この中端子電極板に前記貫通孔に嵌まるように一体に設けた中空軸とを備え、前記中空軸の先端に、前記調節用ロータにおける底板を、当該底板が絶縁基板の表面に密接するように回転自在に被嵌し、前記中空軸の上端を外向きにかしめ広げる一方、前記中端子電極板における下面のうち前記中空軸の部分に、前記中空軸内を塞ぐフィルムを貼着して成るチップ型可変式電子部品において、
前記中端子電極板のうち前記フィルムを貼着する部分における板厚さを、当該中端子電極板のうち他の部分における板厚さよりも薄くすることを特徴とするチップ型可変式電子部品。
【請求項３】
貫通孔を有する絶縁基板と、この絶縁基板の表面側に配設され金属板にて椀型に構成した調節用ロータと、前記絶縁基板の下面に密接した金属板による中端子電極板と、この中端子電極板に前記貫通孔に嵌まるように一体に設けた中空軸とを備え、前記中空軸の上端に、前記調節用ロータにおける底板を、当該底板が絶縁基板の表面に密接するように回転自在に被嵌し、前記中空軸の上端を外向きにかしめ広げる一方、前記中端子電極板における下面のうち前記中空軸の部分に、前記中空軸内を塞ぐフィルムを貼着して成るチップ型可変式電子部品において、
前記調節用ロータのうち底板における板厚さを、当該ロータのうち他の部分における板厚さよりも薄くし、且つ、前記前記中端子電極板のうち前記中空軸の部分における板厚さを、当該中端子電極板のうち他の部分における板厚さよりも薄くすることを特徴とするチップ型可変式電子部品。
【請求項４】
前記請求項１〜３のいずれかの記載において、前記調節用ロータの回転角度を規制するためのストッパー機構を、前記ロータの上面よりも突出しないように構成したことを特徴とするチップ型可変式電子部品。
【請求項５】
前記請求項１〜３のいずれかの記載において、前記チップ型可変式電子部品が、前記絶縁基板に前記貫通孔を中心とする円弧状の抵抗膜と、この抵抗膜の両端に対する外端子電極とを設け、更に、前記調節用ロータに前記抵抗膜に対して摺動自在に接触する摺動子を設けて成る構成であることを特徴とするチップ型可変抵抗器。
【請求項６】
前記請求項５の記載において、前記調節用ロータの回転角度を規制するためのストッパー機構を、前記ロータの上面よりも突出しないように構成したことを特徴とするチップ型可変抵抗器。
【発明の詳細な説明】
【技術分野】
【０００１】
本発明は、例えば、抵抗値又はコンデンサ容量等を調節するためのロータを回転可能に装着して成るチップ型の可変式電子部品及び可変抵抗器に関するものである。
【背景技術】
【０００２】
前記可変式電子部品の代表であるところのチップ型可変式抵抗器は、従来から良く知られているように、チップ型にしてその中心に貫通孔を設けて成る絶縁基板の上面に、抵抗膜を、前記貫通孔を中心とする円弧状に形成し、この絶縁基板に、前記円弧状抵抗膜の両端に対する外端子電極を設け、前記絶縁基板の下面には、前記貫通孔内に嵌まる中空軸を一体に備えた金属板製の中端子電極板を配設する一方、前記絶縁基板の上面には、金属板にて椀型に形成され、且つ、前記抵抗膜に接触を摺動子を備えて成る調節用ロータを、当該ロータの底部が前記絶縁基板の上面に密接した状態で前記中空軸の上端に被嵌するように配設し、このロータを、前記中空軸の上端を外向きにかしめ広げることで絶縁基板に対して回転自在に装着し、このロータの内部に、当該ロータを回転するドライバー工具を受け入れるように構成している。
【０００３】
また、従来のチップ型の可変式抵抗器においては、これをプリント回路基板等に対して半田付け実装するときに、半田付け用のフラックス等が前記中空軸内を通って前記ロータの内部に侵入することを防止することのために、前記中端子電極板の下面にフィルムを貼着することによって、前記中空軸を塞ぐように構成している。
【０００４】
ところで、前記調節用ロータは、その内部に、当該ロータを回転するドライバー工具を受け入れるものであることにより、このロータに対する前記ドライバー工具の係合を確保するためには、このロータの内部への前記ドライバー工具の受け入れ深さを深く、ひいては、椀型に構成される前記ロータの高さ寸法を高くしなければならないから、チップ型可変式抵抗器における全高さが高くなる。
【０００５】
また、前記中端子電極板の下面にフィルムを貼着する場合においては、このフィルムが、前記中端子電極板の下面から突出した状態になるとともに、このフィルムの厚さの分だけチップ型可変式抵抗器における全高さが高くなる。
【０００６】
そこで、特許文献１には、前記絶縁基板における上面のうち前記調節用ロータの底部の部分を、部分的に凹ませることにより、この凹ませた分だけ全高さを低くすることが記載されている。
【０００７】
また、特許文献２は、前記絶縁基板における下面のうち貫通孔の部分に凹み部を設け、この凹み部内に、前記中端子電極板のうち前記中空軸の部分を嵌め込むことにより、前記フィルムが突出せず、且つ、このフィルムの厚さが全高さに加算されることがないように構成することが記載されている。
【特許文献１】特開平９−２６０１１６号公報
【特許文献２】実開平２−１０２７０３号公報
【発明の開示】
【発明が解決しようとする課題】
【０００８】
全高さを低くすることのために、前記特許文献１に記載されているように、絶縁基板の上面を部分的に凹ませることは、この凹み深さを、全高さを低くする分だけ深くしなければならないから、前記絶縁基板を製造することに要するコストが、その上面を部分的に凹ませる分だけ増大するばかりか、前記絶縁基板における強度が低下して、その製造中及びプリント基板に対する実装中において割れることが多発するという問題があった。
【０００９】
また、前記特許文献１に記載されているように、前記絶縁基板の下面に、中端子電極板の下面にフィルムを貼着することのために、部分的を凹み部を設けることは、同様に、前記絶縁基板を製造することに要するコストが、その下面に凹み部を設ける分だけ増大するばかりか、前記絶縁基板における強度が低下して、その製造中及びプリント基板に対する実装中において割れることが多発するという問題があった。
【００１０】
特に、前記絶縁基板の上面を部分的に凹ませることに加えて、その下面に凹み部を設けるという構成にした場合、前記の問題は一層に顕著になるのである。
【００１１】
本発明は、これらの問題を解消した可変式電子部品を提供することを技術的課題とするものである。
【課題を解決するための手段】
【００１２】
この技術的課題を達成するため本発明の請求項１は、
「貫通孔を有する絶縁基板と、この絶縁基板の上面側に配設され金属板にて椀型に構成した調節用ロータと、前記絶縁基板の下面に密接した金属板による中端子電極板と、この中端子電極板に前記貫通孔内に嵌まるように一体に設けた中空軸とを備え、前記中空軸の上端に、前記調節用ロータにおける底板を、当該底板が絶縁基板の表面に密接するように回転自在に被嵌し、前記中空軸の上端を外向きにかしめ広げて成るチップ型可変式電子部品において、
前記調節用ロータのうち底板における板厚さを、当該ロータのうち他の部分における板厚さよりも薄くする。」
ことを特徴としている。
【００１３】
また、本発明の請求項２は、
「貫通孔を有する絶縁基板と、この絶縁基板の上面側に配設され金属板にて椀型に構成した調節用ロータと、前記絶縁基板の下面に密接した金属板による中端子電極板と、この中端子電極板に前記貫通孔に嵌まるように一体に設けた中空軸とを備え、前記中空軸の先端に、前記調節用ロータにおける底板を、当該底板が絶縁基板の表面に密接するように回転自在に被嵌し、前記中空軸の上端を外向きにかしめ広げる一方、前記中端子電極板における下面のうち前記中空軸の部分に、前記中空軸内を塞ぐフィルムを貼着して成るチップ型可変式電子部品において、
前記中端子電極板のうち前記フィルムを貼着する部分における板厚さを、当該中端子電極板のうち他の部分における板厚さよりも薄くする。」
ことを特徴としている。
【００１４】
更にまた、本発明の請求項３は、
「貫通孔を有する絶縁基板と、この絶縁基板の表面側に配設され金属板にて椀型に構成した調節用ロータと、前記絶縁基板の下面に密接した金属板による中端子電極板と、この中端子電極板に前記貫通孔に嵌まるように一体に設けた中空軸とを備え、前記中空軸の上端に、前記調節用ロータにおける底板を、当該底板が絶縁基板の表面に密接するように回転自在に被嵌し、前記中空軸の上端を外向きにかしめ広げる一方、前記中端子電極板における下面のうち前記中空軸の部分に、前記中空軸内を塞ぐフィルムを貼着して成るチップ型可変式電子部品において、
前記調節用ロータのうち底板における板厚さを、当該ロータのうち他の部分における板厚さよりも薄くし、且つ、前記前記中端子電極板のうち前記中空軸の部分における板厚さを、当該中端子電極板のうち他の部分における板厚さよりも薄くする。」
ことを特徴としている。
【００１５】
加えて、本発明の請求項４は、
「前記請求項１〜３のいずれかの記載において、前記調節用ロータの回転角度を規制するためのストッパー機構を、前記ロータの上面よりも突出しないように構成した。」
ことを特徴としている。
【００１６】
本発明の請求項５は、
「前記請求項１〜３のいずれかの記載において、前記チップ型可変式電子部品が、前記絶縁基板に前記貫通孔を中心とする円弧状の抵抗膜と、この抵抗膜の両端に対する外端子電極とを設け、更に、前記調節用ロータに前記抵抗膜に対して摺動自在に接触する摺動子を設けて成る構成である。」
ことを特徴としている。
【００１７】
本発明の請求項６は、
「前記請求項５の記載において、前記調節用ロータの回転角度を規制するためのストッパー機構を、前記ロータの上面よりも突出しないように構成した。」
ことを特徴としている。
【発明の効果】
【００１８】
前記請求項１に記載したように、前記調節用ロータのうち底板における板厚さを、当該ロータのうち他の部分における板厚さよりも薄くすることにより、このロータにおける高さ寸法を、当該ロータにおける底板の板厚さを薄くした分だけ、当該ロータ内へのドライバー工具の受け入れ深さを浅くしない状態のもとで、低くすることができるから、チップ型可変式電子部品における全高さ寸法を低くすることのために、前記特許文献１のように、絶縁基板の上面を部分的に凹ませることを省略できるか、或いは、絶縁基板の上面を部分的に凹ませる場合においても、その凹みの深さを、前記ロータにおける底板の板厚さを薄くした分だけ浅くすることができる。
【００１９】
また、請求項２に記載したように、前記中端子電極板のうち前記フィルムを貼着する部分における板厚さを、当該中端子電極板のうち他の部分における板厚さよりも薄くすることにより、チップ型可変式電子部品における全高さ寸法を、前記絶縁基板の下面に前記中端子電極板が嵌まる凹み部を設けることなく、前記中端子電極板のうち前記フィルムを貼着する部分における板厚さを薄くした分だけ低くすることができるか、前記絶縁基板の下面に前記中端子電極板が嵌まる凹み部を設ける場合においても、この凹み部の深さを、前記中端子電極板のうち前記フィルムを貼着する部分における板厚さを薄くした分だけ浅くすることができる。
【００２０】
更にまた、請求項３に記載したように、前記調節用ロータのうち底板における板厚さを、当該ロータのうち他の部分における板厚さよりも薄くし、且つ、前記前記中端子電極板のうち前記中空軸の部分における板厚さを、当該中端子電極板のうち他の部分における板厚さよりも薄くすることにより、このロータにおける高さ寸法を、当該ロータにおける底板の板厚さを薄くした分だけ、当該ロータ内へのドライバー工具の受け入れ深さを浅くしない状態のもとで、低くすることができて、チップ型可変式電子部品における全高さ寸法を低くすることのために、前記特許文献１のように、絶縁基板の上面を部分的に凹ませることを省略できるか、或いは、絶縁基板の上面を部分的に凹ませる場合においても、その凹みの深さを、前記ロータにおける底板の板厚さを薄くした分だけ浅くすることができるとともに、チップ型可変式電子部品における全高さ寸法を、前記絶縁基板の下面に前記中端子電極板が嵌まる凹み部を設けることなく、前記中端子電極板のうち前記フィルムを貼着する部分における板厚さを薄くした分だけ低くすることができるか、前記絶縁基板の下面に前記中端子電極板が嵌まる凹み部を設ける場合においても、この凹み部の深さを、前記中端子電極板のうち前記フィルムを貼着する部分における板厚さを薄くした分だけ浅くすることができる。
【００２１】
以上要するに本発明によると、ロータ内へのドライバー工具の受け入れ深さを深くし、且つ、チップ型可変式電子部品における全高さ寸法を低くした状態のもとで、絶縁基板の上面を部分的に凹ませること及び／又は絶縁基板の下面に部分的に凹み部を設けることを省略できるか、或いは、前記絶縁基板の上面を凹ませるときの深さ及び／又は絶縁基板の下面に凹み部を設けるときの深さを浅くできるから、前記絶縁基板を製造することに要するコストを従来の場合によりも大幅に低減できるともに、前記絶縁基板が、その製造中及びプリント基板に対する実装中において割れることを確実に低減できる。
【００２２】
特に、請求項４の記載によると、調節用ロータに対して、その回転角度を規制するためのストッパー機構を設ける場合に、このストッパー機構のために全高さ寸法が増大することを回避できる。
【００２３】
また、請求項５及び６に記載した構成によると、チップ型可変抵抗器を、前記した効果を有するものに構成することができる利点がある。
【発明を実施するための最良の形態】
【００２４】
以下、本発明の実施の形態を、チップ型可変抵抗器に適用した場合の図面（図１〜図５）について説明する。
【００２５】
これらの図において、符号１は、チップ型可変抵抗器を示し、このチップ型可変抵抗器１は、セラミック等の耐熱絶縁材料にてチップ型に構成した絶縁基板２と、この絶縁基板２の上面に配設した調節用ロータ３と、前記絶縁基板２の下面に配設した中端子電極板４とで構成されている。
【００２６】
前記絶縁基板２には、その略中心に上面から下面に貫通する貫通孔５が穿設され、その上面に抵抗膜６が前記貫通孔５を中心として円弧状に延びるように形成され、且つ、この絶縁基板２における一側面２ａには、前記抵抗膜５の両端に対する外端子電極７，８が設けられている。
【００２７】
前記中端子電極板４は、適宜板厚さＳ０の金属板製であり、前記絶縁基板２の下面に密接しており、前記貫通孔５の部分には、当該貫通孔５内に挿入される中空軸９が一体的に設けられているとともに、前記絶縁基板２の他側面２ｂの部分に上向きに折り曲げて成るストッパー片１０が一体的に設けられている。
【００２８】
一方、前記ロータ３は、適宜板厚さＴ０の金属板にて外周にフランジを有する椀型に形成した第１プレート１１と、この第１プレート１１に対して折り返し連結部１２を介して一体に連結した平面板状の第２プレート１３とから成り、前記第２プレート１３は、これに十字状のドライバー係合孔１４が穿設され、前記折り返し連結部１２から前記第１プレート１０の上面に重なるように折り返し状に折り曲げられている一方、前記第１プレート１０における外周のフランジには、前記折り返し連結部１２と反対側の部分に略半円弧状に延びるにスリット孔１５が穿設されて、このスリット孔１５より外側の部分が、前記抵抗膜５に対して弾性的に接触する摺動子１６に構成されている。
【００２９】
前記ロータ３は、これを前記絶縁基板２における上面側に、当該ロータ３の第１プレート１０における底板１７に穿設した装着孔１８を前記中空軸９の上端に被嵌し、且つ、その底板１７の下面が前記絶縁基板２の上面に密接し、更に、その摺動子１６が前記抵抗膜５に弾性的に接触するように供給したのち、前記中空軸９の上端を、外向きに広げるようにかしめることにより、前記中空軸９に対して、当該中空軸９を中心軸として自在に回転するように装着されている。
【００３０】
そして、前記ロータ３の第１プレート１０における底板１７の板厚さＴ１を、前記ロータ３を構成する金属板における元々の板厚さＴ０よりも薄く構成して、この薄い板厚さＴ１にした底板１７の部分において、前記絶縁基板２の上面に密接するとともに、前記中空軸９に対して回転自在に装着するという構成にする。
【００３１】
また、前記中端子電極板４のうちこれに一体的に設けられる前記中空軸９の部分における板厚さＳ１を、前記中端子電極板４を構成する金属板における元々の板厚さＳ０よりも薄くして、この部分における下面に、耐熱合成樹脂製のフィルム１９を、当該フィルム１９にて前記中空軸８の内部を塞ぐように貼着するという構成にする。
【００３２】
なお、前記ロータ３の第１プレート１０における底板１７を、元々の板厚さＴ０から板厚さＴ１に薄くするに際しては、この底板１７を、二つの金型にて挟み付けるというコイニングによるか、或いは、前記底板１７の下面を研削又は切削加工する等の手段を採用することができる。
【００３３】
また、前記中端子電極板４のうち前記中空軸９の部分を、元々の板厚さＳ０から板厚さＳ１に薄くするに際しても、同様に、前記部分を、二つの金型にて挟み付けるというコイニングによるか、或いは、前記部分の下面を研削又は切削加工する等の手段を採用することができる。
【００３４】
前記したように、前記調節用ロータ３のうち底板１７における板厚さＴ１を、当該ロータのうち他の部分における板厚さＴ０よりも薄くしたことにより、このロータ３における高さ寸法Ｈ１を、前記底体１７の板厚さＴ０のままでの高さ寸法Ｈ０よりも、当該ロータにおける底板１７の板厚さをＴ１に薄くした分だけ、当該ロータ３内へのドライバー工具の受け入れ深さＷを浅くしない状態のもとで、低くすることができるから、チップ型可変式電子部品１における全高さ寸法Ｌを低くすることのために、前記特許文献１のように、絶縁基板の上面を部分的に凹ませることを省略できるか、或いは、絶縁基板の上面を部分的に凹ませる場合においても、その凹みの深さを、前記ロータにおける底板の板厚さを薄くした分だけ浅くすることができる。
【００３５】
また、前記前記したように、前記中端子電極板４のうち前記フィルム１９を貼着する部分、つまり、中空軸９の部分における板厚さＳ１を、当該中端子電極板４のうち他の部分における板厚さＳ０よりも薄くしたことにより、チップ型可変式電子部品１における全高さ寸法Ｌを、前記絶縁基板２の下面に前記中端子電極板４が嵌まる凹み部を設けることなく、前記中端子電極板４のうち前記フィルム１９を貼着する部分における板厚さＳ１を薄くした分だけ低くすることができるか、前記絶縁基板２の下面に前記中端子電極板４が嵌まる凹み部を設ける場合においても、この凹み部の深さを、前記中端子電極板４のうち前記フィルム１９を貼着する部分における板厚さＳ１を薄くした分だけ浅くすることができる。
【００３６】
前記調節用ロータ３は、その回転に際して、当該ロータ３における折り返し連結部１２が、図５に示すように、前記絶縁基板２の上面から上向きに突出するストッパー片１０に対して接当することにより、その回転できる角度がθの範囲内に規制される。
【００３７】
この場合において、前記折り返し連結部１２、及びこの折り返し連結部１２が接当する前記ストッパー片１０は、前記調節用ロータ３の回転を角度θに規制するためのストッパー機構を構成するのであるが、これら折り返し連結部１２及びストッパー片１０は、前記ロータ３の上面から突出しないように構成されているから、このストッパー機構のために全高さ寸法Ｌが増大することはないのである。
【００３８】
前記ストッパー片１０は、図１〜図５に示す実施の形態においては、その上端を下向きに折り曲げて、前記絶縁基板２の上面に接当するという構成になっている。
【００３９】
このように構成することで、前記ストッパー片１０にて絶縁基板２を上下両面から挟み付けることになるから、前記ストッパー片１０における強度を向上できるとともに、絶縁基板２に対する中端子電極板４の取付け強度を向上できる。
【００４０】
なお、前記ストッパー片は、前記した構成に限らず、図６及び図７に示すように、断面上向きにコ字状にして、これを上向きに折り曲げて成る構成のストッパー片１０′に構成しても良いことはいうまでもない。
【００４１】
また、本発明は、前記したチップ型可変抵抗器に限らず、可変式コンデンサ等のような可変式電子部品に対しても同様にして適用できることはいうまでもない。
【００４２】
そして、前記した図示した実施の形態においては、ロータ３における折り返し連結部１２は、その幅寸法Ｍを大きくする一方、抜き孔１２ａを第１プレート１１及び第２プレート１３の両方に跨がるように穿設することによって、当該折り返し連結部１２における折り曲げ加工が容易にできる状態のもとで、前記折り返し連結部１２に、第１プレート１１と第２プレート１３との相互間における横方向の捩じれ変形に対して強い強度を保持させるという構成している。
【００４３】
これに加えて、前記した図示した実施の形態においては、前記折り返し連結部１２に抜き孔１２ａを、第２プレート１３に十字状のドライバー係合孔１４を各々穿設する場合に、前記抜き孔１２ａに対して十字状のドライバー係合孔１４を、当該ドライバー係合孔１４における各十字溝の間に前記抜き孔１２ａが位置するようにずらせることにより、前記第２プレート１３に抜き孔１２ａと十字状のドライバー係合孔１４とを穿設する場合における当該第２プレート１３の強度低下を回避するという構成にしている。
【図面の簡単な説明】
【００４４】
【図１】本発明の実施の形態による可変抵抗器の平面図である。
【図２】図１のII−II視断面図である。
【図３】図２の分解図である。
【図４】ロータの展開図である。
【図５】ロータを回転したときの平面図である。
【図６】別の実施の形態を示す平面図である。
【図７】図６のVII −VII 視断面図である。
【符号の説明】
【００４５】
１                チップ型可変抵抗器
２                絶縁基板
３                調節用ロータ
４                中端子電極板
５                貫通孔
６                抵抗膜
７，８            外端子電極
９                中空軸
１０              ストッパー片
１１              第１プレート
１２              折り返し連結部
１３              第２プレート
１４              ドライバー係合孔
１６              摺動子
１７              底板
１８              装着孔
１９              フィルム
【図１】
2005333021.tif 000003
【図２】
2005333021.tif 000004
【図３】
2005333021.tif 000005
【図４】
2005333021.tif 000006
【図５】
2005333021.tif 000007
【図６】
2005333021.tif 000008
【図７】
2005333021.tif 000009